(57)【要約】【課題】ＩＰ電話網を介して発呼するときに入力された電話番号にポーズが挿入されていても、通信エラーを発生することなく正常に発信することができる。【解決手段】ファクシミリ装置２０の主制御部１は、入力された相手方の電話番号に基づいて相手方の通信端末装置に対してＩＰ電話回線を介して発信するか否かを検出し（図３のステップＳ１１，Ｓ１２）、ＩＰ電話回線を介して発信するときに（図２のステップＳ３でＹＥＳ）、入力された相手方の電話番号においてポーズがあるとき（ステップＳ４でＹＥＳ）、上記ポーズのポーズ時間を実質的に削除するためにそのポーズ時間を一時的に０秒に設定する（ステップＳ５）。【選択図】図２
2005130037.tif 000002
【特許請求の範囲】
【請求項１】
入力された相手方の電話番号に基づいて相手方の通信端末装置に対してＩＰ電話回線を介して発信するか否かを検出する検出手段と、
上記検出手段によりＩＰ電話回線を介して発信するときに、入力された相手方の電話番号におけるポーズのポーズ時間を実質的に削除する制御手段とを備えたことを特徴とする通信端末装置。
【請求項２】
上記制御手段は、入力された相手方の電話番号におけるポーズのポーズ時間を一時的に所定のしきい値時間以下に設定することを特徴とする請求項１記載の通信端末装置。
【請求項３】
上記しきい値時間は４秒又は０秒であることを特徴とする請求項２記載の通信端末装置。
【請求項４】
上記制御手段は、入力された相手方の電話番号においてポーズがあるか否かを検出し、上記ポーズがあるときに上記ポーズのポーズ時間を実質的に削除することを特徴とする請求項１乃至３のうちのいずれか１つに記載の通信端末装置。
【発明の詳細な説明】
【技術分野】
【０００１】
本発明は、ダイヤルする電話番号におけるポーズを処理する機能を有する、例えばファクシミリ装置などの通信端末装置に関する。
【背景技術】
【０００２】
昨今、ＩＰ電話が急速に普及して既存の電話機が簡単に接続できるようになっている。ＩＰ電話システムについては、技術的には未解決な部分もあるが、ＩＰ電話網を介してファクシミリ送信する場合もあるようである。
【０００３】
【特許文献１】特開２０００−０９２２３０号公報。
【発明の開示】
【発明が解決しようとする課題】
【０００４】
一方で、ＩＰ電話での発呼時には、ＮＴＴなどの電気通信事業者の従来の公衆電話網の電話回線を使った発呼とはタイミングが異なり、特に、桁間のポーズに制限がある。しかしながら、例えばワンタッチ等に登録されている場合において、これからＩＰ電話網経由で発呼するのか、あるいは一般公衆電話網に切り替えて発呼するのかが特定できないという問題点があった。
【０００５】
例えば、自動的に回線を選択し、回線に合致した適切な発呼が可能であり、ユーザーが回線の種別を意識することなく簡単に使用することができ、しかも誤発呼を確実に防止するために、特許文献１では、「ユーザーは発呼する電話番号の先頭に０及びポーズデータを挿入するか否かにより使用が外線であるか内線であるかを指示する。この接続回線の指示を判定し（特許文献１の図１のＳ３）、内線発呼の指示であれば、空き内線が生じるまで待ち（Ｓ４）、入力された番号をそのまま用いて発呼する（Ｓ５）。外線発呼の指示であれば、空き回線が内線の場合（Ｓ１１）は入力番号をそのまま用いて発呼し（Ｓ１１）、一方、空き回線が外線の場合（Ｓ１２）は入力番号から０及びポーズデータを削除して発呼する（Ｓ１３）。発呼の際、発呼に用いる番号、及び回線の別は操作パネルに表示する。」ことが開示されている。しかしながら、当該特許文献１では、上述の問題点を解決することができない。
【０００６】
本発明の目的は以上の問題点を解決し、ＩＰ電話網を介して発呼するときに入力された電話番号にポーズが挿入されていても、通信エラーを発生することなく正常に発信することができる、例えばファクシミリ装置などの通信端末装置を提供することにある。
【課題を解決するための手段】
【０００７】
本発明に係る通信端末装置は、入力された相手方の電話番号に基づいて相手方の通信端末装置に対してＩＰ電話回線を介して発信するか否かを検出する検出手段と、
上記検出手段によりＩＰ電話回線を介して発信するときに、入力された相手方の電話番号におけるポーズのポーズ時間を実質的に削除する制御手段とを備えたことを特徴とする。
【０００８】
また、上記通信端末装置において、上記制御手段は、入力された相手方の電話番号におけるポーズのポーズ時間を一時的に所定のしきい値時間以下に設定することを特徴とする。ここで、上記しきい値時間は好ましくは４秒又は０秒である。
【０００９】
さらに、上記通信端末装置において、上記制御手段は、入力された相手方の電話番号においてポーズがあるか否かを検出し、上記ポーズがあるときに上記ポーズのポーズ時間を実質的に削除することを特徴とする。
【発明の効果】
【００１０】
本発明に係る通信端末装置によれば、入力された相手方の電話番号に基づいて相手方の通信端末装置に対してＩＰ電話回線を介して発信するか否かを検出する検出手段と、上記検出手段によりＩＰ電話回線を介して発信するときに、入力された相手方の電話番号におけるポーズのポーズ時間を実質的に削除する制御手段とを備える。従って、ＩＰ電話網を介して発呼するときに入力された電話番号にポーズが挿入されていても、通信エラーを発生することなく正常に相手方の通信端末装置に対して発信することができる。
【発明を実施するための最良の形態】
【００１１】
以下、図面を参照して本発明に係る実施形態について説明する。
【００１２】
＜実施形態＞
図１は、本発明に係る実施形態である、ダイヤルする電話番号におけるポーズを処理する機能を有するファクシミリ装置２０の構成を示すブロック図である。
【００１３】
この実施形態に係るファクシミリ装置２０の主制御部１は、入力された相手方の電話番号に基づいて相手方の通信端末装置に対してＩＰ電話回線を介して発信するか否かを検出し（図３のステップＳ１１，Ｓ１２）、ＩＰ電話回線を介して発信するときに（図２のステップＳ３でＹＥＳ）、入力された相手方の電話番号においてポーズがあるとき（ステップＳ４でＹＥＳ）、上記ポーズのポーズ時間を実質的に削除するためにそのポーズ時間を一時的に０秒に設定する（ステップＳ５）ことを特徴としている。なお、入力された相手方の電話番号中の「ポーズ」は操作部５の例えばテンキー以外のポーズキーを用いて入力される。
【００１４】
なお、本実施形態に係るファクシミリ装置２０においては、以下の動作モードがある。
（１）一般電話回線使用モード：ＮＴＴ回線など一般公衆電話網の電話回線を通じて発信する動作モードである。
（２）ＩＰ電話回線使用モード：ディジタルデータ回線においてＶｏＩＰを用いて電話機能を実現するＩＰ電話回線を通じて発信する動作モードである。
（３）ポーズ使用不可モード：ＩＰ電話回線使用モードでダイヤルする相手方の電話番号においてポーズの挿入を禁止する動作モードである。
（４）ポーズ使用可モード：ダイヤルする相手方の電話番号においてポーズがなく、ポーズを削除することが不要である動作モードである。
【００１５】
図１において、ファクシミリ装置２０は、従来のＧ３方式等のファクシミリ通信機能を備えるとともに、ダイヤルする電話番号におけるポーズを処理する機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１６】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１７】
ＲＯＭ６は、当該ファクシミリ装置２０の動作に必要であって主制御部１によって実行される種々のソフトウェアのプログラムを予め格納し、ここで、当該プログラムは、少なくとも図２及び図３の発信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１８】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１９】
以上のように構成された本実施形態のファクシミリ装置２０は、通常のＧ３方式等のファクシミリ通信機能に加えて、ダイヤルする電話番号におけるポーズを処理する機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２０】
図２は図１のファクシミリ装置２０の主制御部１によって実行される、実施形態に係る発信処理を示すフローチャートである。
【００２１】
図２のステップＳ１において発呼要求があるか否かが判断され、ＹＥＳのときはステップＳ２に進む一方、ＮＯのときはステップＳ１に戻る。ステップＳ２において図３のサブルーチンである発呼番号チェック処理を実行した後、ステップＳ３において使用回線はＩＰ電話回線使用モードであるか否かが判断され、ＹＥＳのときはステップＳ４に進む一方、ＮＯのときはステップＳ７に進む。ステップＳ４においてポーズ使用不可モードであるか否かが判断され、ＹＥＳのときはステップＳ５に進む一方、ＮＯのときはそのままステップＳ６に進む。ステップＳ５において、ポーズの時間設定を一時的に０秒に設定した後、ステップＳ６に進む。ここで、ポーズの時間設定を一時的に設定とは、今回のダイヤル処理では、当該ポーズ時間設定を用いるが、次回のダイヤル処理では元のデフォルト値に戻すことをいう。そして、ステップＳ６では、ＩＰ電話回線を選択し、ステップＳ８に進む。一方、ステップＳ７において一般電話回線を選択し、ステップＳ８に進む。さらに、ステップＳ８において入力された相手方の電話番号をダイヤルするダイヤル処理を実行し、ステップＳ９においてファクシミリ送信処理を実行した後、ステップＳ１０において回線開放し、当該発信処理を終了する。
【００２２】
図３は図２のサブルーチンである、発呼番号チェック処理を示すフローチャートである。
【００２３】
図３のステップＳ１１において、まず、発呼番号の先頭３桁が例えば１００，１１９，１１７，１７７などの特別番号（特番）であるか否かが判断され、ＹＥＳのときはステップＳ１３に進む一方、ＮＯのときはステップＳ１２に進む。ステップＳ１２において発呼番号の先頭４桁が「００００」であるか否かが判断され、ＹＥＳのときはステップＳ１３に進む一方、ＮＯのときはステップＳ１４に進む。ステップＳ１３において一般電話回線使用モードをセットした後、元のメインルーチンに戻る。また、ステップＳ１４において発呼番号中にポーズが有るか否かが判断され、ＹＥＳのときはステップＳ１５に進む一方、ＮＯのときはステップＳ１６に進む。ステップＳ１５においてＩＰ電話回線使用モードでかつポーズ使用不可モードをセットした後、元のメインルーチンに戻る。一方、ステップＳ１６においてＩＰ電話回線使用モードでかつポーズ使用可モードをセットした後、元のメインルーチンに戻る。
【００２４】
以上説明したように、本実施形態によれば、ファクシミリ装置２０の主制御部１は、入力された相手方の電話番号に基づいて相手方の通信端末装置に対してＩＰ電話回線を介して発信するか否かを検出し（図３のステップＳ１１，Ｓ１２）、ＩＰ電話回線を介して発信するときに（図２のステップＳ３でＹＥＳ）、入力された相手方の電話番号においてポーズがあるとき（ステップＳ４でＹＥＳ）、上記ポーズのポーズ時間を実質的に削除するためにそのポーズ時間を一時的に０秒に設定する（ステップＳ５）。従って、ＩＰ電話網を介して発呼するときに入力された電話番号にポーズが挿入されていても、通信エラーを発生することなく正常に相手方の通信端末装置に対して発信することができる。
【００２５】
＜変形例＞
以上の実施形態においては、ファクシミリ装置２０の例について述べているが、本発明はこれに限らず、ＩＰ電話網、公衆電話網又は公衆デジタル回線網などの公衆網に接続された、例えば電話機、データ通信装置などを含む通信端末装置に適用することができる。
【００２６】
以上の実施形態においては、図２のステップＳ５において、ポーズ時間設定を一時的に０秒に設定しているが、本発明はこれに限らず、例えば、ＩＰ電話のコールマネジャー装置の場合、ダイヤルの電話番号の桁間が４秒を超えたとき、ダイヤル終了と判断するので、ポーズ時間設定を例えば４秒以下の所定の時間に設定してもよい。すなわち、ポーズ時間設定のしきい値時間は好ましくは４秒又は０秒である。
【図面の簡単な説明】
【００２７】
【図１】本発明に係る実施形態である、ダイヤルする電話番号におけるポーズを処理する機能を有するファクシミリ装置２０の構成を示すブロック図である。
【図２】図１のファクシミリ装置２０の主制御部１によって実行される、実施形態に係る発信処理を示すフローチャートである。
【図３】図２のサブルーチンである、発呼番号チェック処理を示すフローチャートである。
【符号の説明】
【００２８】
１…主制御部、
２…画像読取部、
３…画像記録部、
４…表示部、
５…操作部、
６…ＲＯＭ、
７…ＲＡＭ、
８…画像メモリ、
１０…ファックスモデム、
１１…ＮＣＵ、
１３…バス、
２０…ファクシミリ装置、
Ｌ…公衆電話回線。
【図１】
2005130037.tif 000003
【図２】
2005130037.tif 000004
【図３】
2005130037.tif 000005